(57)【要約】      （修正有）【課題】重量の大きい電装品ユニットが筐体内に容易に取り付けられる空気調和機の室外機を提供する。【解決手段】筐体と、筐体の内部を、下部仕切板２４と下部仕切板に載置される電装部仕切板５２で送風機室と機械室に区切り、機械室には上部に電装品ユニットが配置され、電装品ユニットは、電装部仕切板に取付けられる電装部品からなる第１電装品ユニットと、第１電装品ユニットの前端に一端が支持され第１電装品ユニットに直交する第２電装品ユニットとを有し、下部仕切板の上端は機械室側に折れ曲がった受け部２５を備え、電装部仕切板の下端は送風機室側に折れ曲がったレール面５８とレール面の端が下方に折れ曲がったレールガイド部５８１を備え、レール面の機械室側の下部には、下方に延出したストッパー５７が設けられ、電装品ユニットは下部仕切板の受け部を、前方からレールガイド部とストッパーで挟んで後方にスライドさせる。【選択図】図５
2018189264.tif 000002
【特許請求の範囲】
【請求項１】
筐体と、前記筐体の内部を、下部仕切板と前記下部仕切板に載置される電装部仕切板で送風機室と機械室に区切り、前記送風機室には送風ファンと熱交換器を配置し、前記機械室には上部に電装品ユニットと下部にアキュムレータや冷媒配管を含む冷媒回路部品が配置された空気調和機の室外機において、
前記電装品ユニットは、前記電装部仕切板に取付けられる電装部品からなる第１電装品ユニットと、前記第１電装品ユニットの前端に一端が支持され第１電装品ユニットに直交する第２電装品ユニットとを有し、
前記下部仕切板は第１仕切面を有し、前記第１仕切面の上端は前記機械室側に折れ曲がった受け部を備え、
前記電装部仕切板の下端は前記送風機室側に折れ曲がったレール面と前記レール面の端が下方に折れ曲がったレールガイド部を備え、また前記電装部仕切板の前記機械室側の下部には、前記レール面より下方に延出したストッパーが設けられ、
前記電装品ユニットは、前記下部仕切板の前記受け部を、前方から前記レールガイド部と前記ストッパーで挟んで後方にスライドさせることで前記仕切板に載置されることを特徴とする空気調和機の室外機。
【請求項２】
前記受け部は、前記ストッパーが止まる位置に前記機械室側に延出したストッパー用延出部が設けられ、
前記電装部仕切板は前端の前記機械室側に下方に折れ曲がった前ガイド部を備え、
前記ストッパー用延出部が前記レールガイド部と前記ストッパーの間で規制され、
前記受け部が、前記レールガイド部と前記前ガイド部で規制されることを特徴とする請求項１に記載の空気調和機の室外機。
【発明の詳細な説明】
【技術分野】
【０００１】
本発明は、空気調和機の室外機に係わり、特に室外機に備えられた電装品ユニットの構造に関する。
【背景技術】
【０００２】
屋外に設置された１台の室外機と、空調室内に設置される少なくとも1台以上の室内機が冷媒配管を介して接続されて冷凍サイクルを構成する多室型の空気調和機が知られている。室外機内部は、室外機の筐体の一部を構成する底板に取り付けられた仕切板によって、圧縮機やアキュムレータや配管等が備えられた機械室と、熱交換器や送風ファン等が設置された送風機室とに区画されている。そして、機械室の上部には圧縮機や送風ファン等の装置に駆動電力を供給する電源装置や室外機の運転を制御する制御基板等を備えた電装品ユニットが配置される。
【０００３】
電装品ユニットの従来例には、仕切板の上に固定される底面板に電源装置や制御基板を備えた上部仕切板と前面板を結合し、上部仕切板と前面板を梁で支える構造となっているものがある。（特許文献１参照）
【先行技術文献】
【特許文献】
【０００４】
【特許文献１】特開２０１２−１５９２２２号公報
【発明の概要】
【発明が解決しようとする課題】
【０００５】
近年、空気調和機の室外機は、大容量化のため大型の通信基板やインバータ基板を搭載する必要があり、それに伴い大電流が流れるようになり電源部品も大型となることで電装品ユニットは例えば約１５キログラムと重量が大きくなる。
【０００６】
従来例では電装品ユニットを室外機内に取り付けるために、組み立てられた電装品ユニットを高い位置に持ち上げて、仕切板の上方から仕切板に載置させる。しかし、電装品ユニットが重量の大きいものとなった場合は高い位置に持ち上げて取り付けるのは困難となる。
【０００７】
本発明は以上述べた問題点を解決し、重量の大きい電装品ユニットが筐体内に容易に取り付けられる空気調和機の室外機を提供することを目的とする。
【課題を解決するための手段】
【０００８】
上述した課題を解決するために、筐体と、前記筐体の内部を、下部仕切板と前記下部仕切板に載置される電装部仕切板で送風機室と機械室に区切り、前記送風機室には送風ファンと熱交換器を配置し、前記機械室には上部に電装品ユニットと下部にアキュムレータや冷媒配管を含む冷媒回路部品が配置された空気調和機の室外機において、前記電装品ユニットは、前記電装部仕切板に取付けられる電装部品からなる第１電装品ユニットと、前記第１電装品ユニットの前端に一端が支持され第１電装品ユニットに直交する第２電装品ユニットとを有し、前記下部仕切板は第１仕切面を有し、前記第１仕切面の上端は前記機械室側に折れ曲がった受け部を備え、前記電装部仕切板の下端は前記送風機室側に折れ曲がったレール面と前記レール面の端が下方に折れ曲がったレールガイド部を備え、また前記電装部仕切板の前記機械室側の下部には、前記レール面より下方に延出したストッパーが設けられ、前記電装品ユニットは、前記下部仕切板の前記受け部を、前方から前記レールガイド部と前記ストッパーで挟んで後方にスライドさせることで前記仕切板に載置されることを特徴とする。
【発明の効果】
【０００９】
上記のように構成した本発明の空気調和機の室外機は、電装品ユニットを第１電装品ユニットと、第１電装品ユニットの前端に一端が支持され第１電装品ユニットに直交する第２電装品ユニットとを有することで、大型の基板や電源部品を配置することが可能であり、かつ、電装品ユニットを下部仕切板に備えられた受け部上を前方から後方へスライドさせることで仕切板に載置できる構造を備えることで、重量の大きい電装品ユニットが筐体内に容易に取り付けられるものである。
【図面の簡単な説明】
【００１０】
【図１】本発明による空気調和機の室外機の前面側斜視図である。
【図２】空気調和機の室外機の背面側斜視図である。
【図３】空気調和機の室外機の内部構造を示す図である。
【図４】電装品ユニット周辺の部分拡大図である。
【図５】下部仕切板の説明図である。
【図６】電装品ユニットの取付の説明図である。
【図７】電装部仕切板の図である。
【図８】電装品ユニットの分解図である。
【図９】電装品ユニットの骨組の説明図である。
【図１０】第１電装品ユニットの図で、（ａ）は左側面側斜視図で、（ｂ）は分解図である。
【図１１】図８のＡ−Ａ部分断面図である。
【図１２】電装品ユニットの右側面側斜視図である。
【図１３】トップ基板と基板固定具の説明図である。
【図１４】第３電装品ユニットの組立の説明図である。
【発明を実施するための形態】
【００１１】
以下、本発明を実施するための形態を、添付図面に基づいた実施例として詳細に説明する。なお本発明はこれに限定されるものではない。
【００１２】
本発明に係る空気調和機の室外機は屋外に設置され、空調室内に設置される少なくとも1台以上の室内機と冷媒配管を介して接続されて冷凍サイクルを構成する。
【００１３】
図１と図２に示す空気調和機の室外機１（以下室外機１とする）は、略直方体形状の筐体１１を有している。なお直方体の筐体１１において上面側を上面または上方、上面の対面を底面または下方、後述する吹出口３１のある面を前面または前方、前面の対面を背面側または後方、後述する外気取込口１４１のある面を右側面または右方、右側面の対面を左側面または左方として以下説明する。各部品においても同様である。
【００１４】
筐体１１の外郭は主に鋼板で形成され、筐体１１の前面と左側面は前面パネル３０で覆われている。前面パネル３０の前面の上下２箇所には後述する送風ファン２１に合わせて円形に開口された吹出口３１が設けられている。吹出口３１の周囲は前面パネル３０の鋼板を内側に延ばしてラッパ状に形成されるベルマウス３２を備える。吹出口３１は線材を加工したファンガード３５で覆われて保護されている。前面パネル３０の左側面には横５個×縦７個の長方形状の孔からなる吸込口３３が設けられている。
【００１５】
筐体１１の前面の右側と右側面の前面側は、下部の配管カバー１２と上部のサービスパネル１３で覆われている。配管カバー１２とサービスパネル１３は、冷媒配管やケーブル（図示無し）の接続およびメンテナンスのために着脱可能となっている。また筐体１１の右側面の背面側と背面の一部までは背面パネル１４で覆われている。背面パネル１４の右側面下部には後述する電装品ユニット５に外気を取り込む複数の横長孔状の外気取込口１４１が設けられている。
【００１６】
前面パネル３０と配管カバー１２と背面パネル１４は筐体１１の底面となり筐体１１を支える脚部１５１を有する底板１５にネジ止めによって組み付けられ、前面パネル３０とサービスパネル１３と背面パネル１４の上端は天板１６で覆われる。天板１６はネジ止めによって前面パネル３０と配管カバー１２と背面パネル１４に組み付けられている。なお図１においてサービスパネル１３の上部は内部の電装品ユニット５を図示するために切り欠いてある。
【００１７】
図３に示すように筐体１１の内部は、底板１５に立設されて前面パネル３０の右端がネジ止めされ、筐体１１の側面に平行で底板１５から後述する電装部仕切板５２の下端に至るまでの高さを有する下部仕切板２４と、下部仕切板２４の前面側に載置される電装部仕切板５２によって前面パネル３０側の送風機室ＦＲとサービスパネル１３側の機械室ＭＲとに区切られている。また下部仕切板２４の背面側の上には後述する上部仕切板２６も備える。
【００１８】
送風機室ＦＲには、上下に２個のプロペラファン型の送風ファン２１が設けられている。送風ファン２１は底板１５に支持されたモータ支持体１９に固定されたファンモータ２０に軸支されている。
【００１９】
また、送風機室ＦＲには、左側面から背面に沿って上面視でＬ字形状である熱交換器１８が配置されている。熱交換器１８は並列した複数のフィン１８１と、同フィン１８１に直交するように蛇行状に配設された伝熱管１８２とからなる。図２を参照して筐体１１の背面側は背面パネル１４の側端と前面パネル３０の側端との間に熱交換器１８が露出して、送風機室ＦＲに外気を取り入れるための背面吸込口２２となり、背面吸込口２２には保護部材２３が設けられている。
【００２０】
図３に戻って機械室ＭＲには、上部に電装品ユニット５が配置され、下部にアキュムレータ４０や圧縮機４１や四方弁４２および冷媒配管４３と膨張弁４４等の冷媒回路部品４が配置されている。
【００２１】
上記の構成により空気調和機の室外機１は、例えば冷房運転時に熱交換器１８の伝熱管１８２の内部を流通する高温・高圧の冷媒の熱を、伝熱管１８２からフィン１８１に伝熱するとともに、このフィン１８１が、送風ファン２１により吸込口３３と背面吸込口２２から吸い込まれた空気によって冷却されることで熱交換するものである。
【００２２】
図４に示すように熱交換器１８は熱交換器１８の右端を囲む熱交換器取付板１８３を備える。熱交換器取付板１８３は複数の孔を有し、この孔に伝熱管１８２が貫通して他の伝熱管１８２や冷媒配管４３と接続されている。図示しないが熱交換器取付板１８３の下端が底板１５に固定されることで熱交換器１８が立設される。
【００２３】
熱交換器取付板１８３は前端が熱交換器１８側に直角に折れ曲がり熱交角部１８５が形成される。熱交換器取付板１８３と熱交角部１８５に下部仕切板２４および後述する上部仕切板２６が組み付けられてネジ止めされる。
【００２４】
図５を合わせて参照して下部仕切板２４は機械室ＭＲ内部に配置されている冷媒回路部品４（アキュムレータ４０、圧縮機４１、冷媒配管４３等）に沿って、筐体１１の側面に平行な前面側の第１仕切面２４１と、背面側で筐体１１の背面に平行で熱交換器取付板１８３に固定される第２仕切面２４２と、第１仕切面２４１と第２仕切面２４２の間を傾斜面で繋ぐ第３仕切面２４３を有する。下部仕切板２４の前端は機械室ＭＲ側に折れ曲がった下前面フランジ部２４４を備える。また下部仕切板２４の上端は機械室ＭＲ側に折れ曲がった受け部２５を備える。第1仕切面２４１の上に位置する受け部２５はレール用受け部２５１とする。レール用受け部２５１の第３仕切面２４３側の端には、後述するストッパー５７が止まる位置で部分的に機械室ＭＲ側に延出したストッパー用延出部２５１ａが設けられる。
【００２５】
下部仕切板２４の第２仕切面２４２の上方には上部仕切板２６が設けられる。上部仕切板２６は右端が背面側に折れ曲がり熱交換器取付板１８３にネジ止めされる。上部仕切板２６の左端は電装部仕切板５２に固定される。上部仕切板２６の下端は下部仕切板２４の受け部２５と当接するように折れ曲がって形成された固定片２６２、固定片２６３が設けられている。図６を合わせて参照して上部仕切板２６の左上部には送風機室ＦＲ方向に向かい徐々に立ち上がる差込爪２６４が設けられている。上部仕切板２６の右上部には内側に延出した固定具２６５が設けられている。
【００２６】
図５と図７に示すように電装部仕切板５２は鋼板を折り曲げ加工した下部仕切板２４の第１仕切面２４１の上に位置する取付面５３と、取付面５３の背面側から直角に曲がった角部５４１と角部５４１から上部仕切板２６まで延出して上部仕切板２６に固定される固定面５４と、取付面５３の前端から多段に折れ曲がり凹部となる支柱取付部５２１と、支柱取付部５２１の前面で下前面フランジ部２４４と面一となる上前面フランジ部５２２で形成される。
【００２７】
さらに支柱取付部５２１の内側に固定され右側が上前面フランジ部２４４よりも突出する支柱５５と、取付面５３と固定面５４の下端角部を結合し、先端が下方に折れ曲がった折曲片５６１で第３仕切面２４３の受け部２５と当接する角部固定板５６を備える。
【００２８】
取付面５３の下端は送風機室ＦＲ側に折れ曲がったレール面５８となる。またレール面５８はレール面５８の端が下方に折れ曲ったレールガイド部５８１を備える。また取付面５３の機械室ＭＲ側の下部には、レール面５８より下方に延出したストッパー５７が設けられ、さらに前端の支柱取付部５２１の底面には機械室ＭＲ側に下方に折れ曲がった前ガイド部５２３を備える。
【００２９】
レールガイド部５８１の内側から前ガイド部５２３の内側までの左右幅Ｗ１は下部仕切板２４のレール用受け部２５１の左右幅と同じである。またレール面５８の左右幅Ｗ２はストッパー用延出部２５１ａの左右幅と同じである。よって、ストッパー用延出部２５１ａがレールガイド部５８１とストッパー５７の間で規制され、レール用受け部２５１が、レールガイド部５８１と前ガイド部５２３の間で規制され、ガタつきを防止する。
【００３０】
次に電装品ユニット５の構成について説明する。図８に示すように電装品ユニット５の基本構造は、電装部仕切板５２に取り付けられた電装部品からなる第１電装品ユニット６と、第１電装品ユニット６の前端に一端が支持され、サービスパネル１３側に配置され第１電装品ユニット６に直交する第２電装品ユニット７と、第１電装品ユニット６と第２電装品ユニット７の上に取り付けられ筐体１１の上面に沿って配置される第３電装品ユニット８の３面で形成される。それぞれが略直角に交わるように組み立てられることで、図４に示す電装品ユニット５内の内部に直方体状の空間が形成される。この空間が配管収容部４５となり、図３および図６に示す機械室ＭＲに配置される冷媒回路部品４の一部、具体的には膨張弁４４と、アキュムレータ４０および冷媒配管４３の上部を収容することが可能となる。これにより筐体１１の高さを低く形成することができ、コンパクトな室外機１となる。
【００３１】
図９に示すように電装品ユニット５の骨組は、第１電装品ユニット６の前述した電装部仕切板５２と、第２電装品ユニット７の基板固定板７１と、第３電装品ユニット８の支持枠８１で形成される。
【００３２】
また、図４と図８と図１０に示すように第１電装品ユニット６の電装部仕切板５２と、第２電装品ユニット７の基板固定板７１は、それぞれ両面に電装部品を設けることが可能であり、第３電装品ユニット８の支持枠８１には着脱可能に取り付けられる基板固定組８４のトップ基板８２に電装部品を設けることができ、大容量化に伴う大型の基板や電源部品を十分に配置することが可能となる。
【００３３】
第３電装品ユニット８の支持枠８１は鋼板で形成され支持枠８１の上と下にそれぞれ内側に曲がった補強部８１７、８１８を備えた断面がコ字状の枠であり、図９に示すように電装部仕切板５２の前後の上部両端に橋架される。支持枠８１は電装部仕切板５２の固定面５４の上端にネジ止めされる後アーム部８１１と、後アーム部８１１から直角に曲がった右アーム部８１２と、右アーム部８１２から直角に曲がり途中の一部が前方に傾斜して上前面フランジ部５２２の上端にネジ止めされる前アーム部８１３からなる。
【００３４】
後アーム部８１１には上部仕切板２６の差込爪２６４に対向する位置に差込爪用孔８１１ａを有し、固定具２６５に対向する位置に背面側に曲がった後取付具８１４が設けられている。後取付具８１４の左右２カ所には係合孔８１１ｂを有する。
【００３５】
また右アーム部８１２の前方には右側に曲がった右取付具８１５がある。前アーム部８１３には前アーム部８１３の前面から底面に沿って曲がりさらに下方に曲がったクランク状の前取付具８１６がある。前取付具８１６の一部はさらに前方に曲がり引掛爪８１６ａとなる。
【００３６】
図７を合わせて参照して前述した支柱５５は電装部仕切板５２の下端から支持枠８１の下までの高さを有し、支柱５５の前面側には上下２カ所にヒンジ用スリット５５１を備える。このヒンジ用スリット５５１は左側の上端部に上方に長い溝５５２を備え、右側の下端部に下方に長い溝５５３を備える。
【００３７】
基板固定板７１は、鋼板で形成され、筐体１１の前面と平行な取付面７１０と、取付面７１０の下部から前方に傾く端子台取付面７１１と、取付面７１０と端子台取付面７１１から左前方に傾斜した傾斜面７１２を備える。傾斜面７１２の左端には前面と平行となるヒンジ面７１３と、ヒンジ面７１３の端から支柱５５のヒンジ用スリット５５１に対向する位置にヒンジ片７１４が上下２カ所に左側に向けて突出するように設けられている。
【００３８】
基板固定板７１は、ヒンジ面７１３から傾斜面７１２に掛けて切り欠かれた開口部７３を有する。開口部７３は基板固定板７１の高さの半分ほどの高さを有し基板固定板７１の上下中央の位置に大きく開口されている。
【００３９】
傾斜面７１２には、開口部７３の近傍で上下２カ所に孔状のコネクタ中継部７４を備える。コネクタ中継部７４には中継コネクタ７４１が嵌められる。
【００４０】
また基板固定板７１の取付面７１０と端子台取付面７１１の右端は後方に曲がりさらに右側に曲がって背面パネル１４に固定されるフランジ部７１６となる。また取付面７１０の上端に係止孔７１５を有する。
【００４１】
基板取付板７１は前方から支柱５５のヒンジ用スリット５５１の溝５５２にヒンジ片７１４を挿入して取付面７１０を後方に移動させるとヒンジ片７１４がヒンジ用スリット５５１の溝５５３に嵌り仮固定される。次に取付面７１０の上端にある係止孔７１５に支持枠８１の前取付具８１６の引掛爪８１６ａを引っ掛けて係止孔７１５横のネジ孔と前取付具８１６のネジ孔をネジ止めすることで、電装品ユニット５の骨組が組み立てられる。
【００４２】
実際は電装品ユニット５には後述するヒートシンク６３１、６３２、６３３とインバータ基板６１１とコンデンサ８２１の各種電装部品が取り付けられていることと、電装品ユニット５自体が鋼板で形成されていることで重量は約１５キロにも及ぶ。これを容易に下部仕切板２４に載置させるために、まず図６に示すように電装品ユニット５を下部仕切板２４の高さまで上げる。次に電装部仕切板５２のレールガイド部５８１とストッパー５７の間に下部仕切板２４のレール用受け部２５１を挟むように位置を合わせてレール用受け部２５１の上にレール面５８を載せる。そして電装品ユニット５を後方へスライドさせる。そのまま移動させると角部固定板５６の折曲片５６１が第３仕切面２４３の受け部２５に当接して停止する。この時、下部仕切板２４のストッパー用延出部２５１ａがレールガイド部５８１とストッパー５７の間で規制され、レール用受け部２５１の前方を、レールガイド部５８１と前ガイド部５２３の間で規制することで電装品ユニット５の左右方向のズレを防ぎ仮固定される。
【００４３】
また、電装品ユニット５の移動に伴って、上部仕切板２６の差込爪２６４が支持枠部８１の差込爪用孔８１１ａに嵌ることで電装品ユニット５の上端も仮固定される。
【００４４】
仮固定された電装品ユニット５は、支持枠８１の後取付具８１４と上部仕切板２６の固定具２６５とをネジ止めする。そして図１に示す支持枠８１の右取付具８１５と基板取付板７１のフランジ７１６とを背面パネル１４にネジ止めすることで機械室ＭＲに固定される。
【００４５】
次に図７と図８と図１０〜図１２に示すように、第１電装品ユニット６には電装部仕切板５２の取付面５３に鋼板でなる取付台６１を介して各電装部品が取り付けられる。電装部品には後方（取付台６１の右側）にインバータ基板６１１と前方（取付台６１の左側）に上下に並べた二つのファンモータドライブ基板６２と、ファンモータドライブ基板６２の上にダイオードブリッジ６１４を備える。いずれも発熱素子を実装した基板や発熱部品である。そこでこれら電装部品を冷却するために、電装部仕切板５２と取付台６１はインバータ基板６１１とファンモータドライブ基板６２とダイオードブリッジ６１４に合わせてそれぞれ取付孔５３１、６１６を有し、電装部仕切板５２の送風機室ＦＲ側には取付孔５３１を覆いインバータ基板６１１とファンモータドライブ基板６２とダイオードブリッジ６１４を冷却するヒートシンク６３１、６３２、６３３がそれぞれ設けられている。
【００４６】
ヒートシンク６３１、６３２、６３３は、上下に複数の放熱用フィン６３ａが並べられ後述する空気Ｋ１が横に流れるように通風路６３２が形成されている。
並んだ
【００４７】
インバータ基板６１１の上には発熱部品であるリアクタ６１３を備え、リアクタ６１３は、前面側と背面側とが開口されてコ字状に折り曲げたダクト６５１で覆われており、電装部仕切板５２と取付台６１はリアクタ６１３に合わせて通風口５３２を有する。電装部仕切板５２の送風機室ＦＲ側には通風口５３２を覆い上部に庇を設けた横長スリット状の通風孔６４１が複数設けられた遮水蓋６４が設けられている。
【００４８】
電装部仕切板５２の取付面５３には、固定面５４との角部５４１（電装部仕切板の背面側）からヒートシンク６３１の一端側との間に空気取込口５９を備える。空気取込口５９はプレス加工で背面側に向けて機械室ＭＲ側に傾斜した縦長スリット状の複数の通気孔５９１からなり、横に５列、縦に２段で設けられている。
【００４９】
取付台６１は空気取込口５９の周囲に、機械室ＭＲ側に突出して通気孔５９１の前方２個分に被り、空気取込口５９に空気Ｋ１を導く通気ガイド部６１７を設ける。通気ガイド部６１７にある開口部は空気流入口６１５になる。
【００５０】
空気取込口５９は送風機室ＦＲ側ではヒートシンク６３１に隣接した位置となり、ヒートシンク６３１と同じ高さを有する。そして空気取込口５９とヒートシンク６３１は導風カバー６５２で囲われる。
【００５１】
導風カバー６５２は、空気取込口５９側が傾斜した導風面６５３を備え、ヒートシンク６３１の前方に空気出口６５４を有する。
【００５２】
次に電装品ユニット５内の空気の流れを説明する。送風ファン２１により引っ張られ背面パネル１４の外気取込口１４１から流入した空気は機械室ＭＲ内を上昇し、電装品ユニット５内の電装部品を冷却して、ダクト６５１から遮水蓋６４に至り通気孔６４１から送風ファン２１に直接向かって送風機室ＦＲに流れる空気Ｋ２となる。
【００５３】
また、空気の一部である空気Ｋ１は、取付台６１の空気流入口６１５に入り、取付台６１の突出した通気ガイド部６１７に沿って空気取込口５９から導風カバー６５２に流入し、導風カバー６５２の導風面６５３に沿ってヒートシンク６３１の通風路６３ｂを通り、ヒートシンク６３１を冷却して、空気出口６５４から送風機室ＦＲに至る。
【００５４】
熱交換される前の空気を直接ヒートシンク６３１に流す導風カバー６５２を設けたことで、ヒートシンク６３１を搭載した発熱素子を実装した基板や発熱部品を効率的に冷却できる。また導風カバー６５２と、機械室ＭＲ側に傾斜した縦長スリット状の通気孔５９１と、空気取込口５９の一部を覆う通気ガイド部６１７により、３重の遮水構造としたことで送風機ＦＲ室からの水の侵入を防ぐことができる。
【００５５】
また電装品ユニット５内の電装部品を冷却して遮水蓋６４から送風ファン２１に直接向かって送風機室ＦＲに流れる空気Ｋ２と、導風カバー６５２を流れてヒートシンク６３１を冷却して送風機室ＦＲの前方に流れる空気Ｋ１とは流出方向が異なり、互いに影響することがなく効率的に電装品を冷却して放熱効率を高めることができる。
【００５６】
第１電装品ユニット６は、前述したように取付台６１の前方に上下に並べた二つのファンモータドライブ基板６２を備える。ファンモータドライブ基板６２には第１コネクタ６２１と第２コネクタ６２２を備える。第１コネクタ６２１はファンモータ２０を駆動する第１ケーブル４６と接続され、第２コネクタ６２２はファンモータ２０の信号線である第２ケーブル４７が接続される。
【００５７】
第１コネクタ６２１は、ファンモータドライブ基板６２の前方に配置され、図４と図１２に示すように、第２電装品ユニット７の開口部７３からは第１コネクタ６２１が視認される。
【００５８】
図３を参照してファンモータ２０に接続された第１ケーブル４６、第２ケーブル４７は下部仕切板２４の第１仕切面２４１にある引出口２４５から機械室ＭＲに入る。第１ケーブル４６の先端にはコネクタ４６１があり、このコネクタ４６１を開口部７３から直接ファンモータドライブ基板６２の第１コネクタ６２１に差し込むことができる。
【００５９】
また、第２コネクタ６２２は傾斜面７１２にあるコネクタ中継部７４に設けた中継コネクタ７４１と接続されており、第２ケーブル４７をコネクタ中継部７４の中継コネクタ７４１と接続することで第２コネクタ６２２と接続できる。これにより、電装品ユニット５の第２電装品ユニット７を開かなくても、第１ケーブル４６、第２ケーブル４７の接続やメンテナンスが可能となり、作業性が向上する。
【００６０】
第３電装品ユニット８は、図１３に示すように、トップ基板８２が基板固定具８３に固定されて図１４の基板固定組８４となり、この基板固定組８４が下方から支持枠８１に取付けられる。
【００６１】
トップ基板８２は長方形の板体の基板の底面にコンデンサ８２１や他の電装部品を有する。基板固定具８３は樹脂材で形成され、トップ基板８２の周囲を囲む長方形の固定枠８３１を有する。固定枠８３１は固定枠８３１の内側下部に縁状に設けた基板支持部８３２でトップ基板８２を支える。さらに固定枠８３１の右側の長辺の内側上部から３か所突出した突出片８３３と、固定枠８３１の左側の長辺の内側から３か所と前方の短辺の内側から一か所に突出した係止爪８３４を備える。基板支持部８３２は突出片８３３と係止爪８３４のある部分では切欠かれている。基板支持部８３２の上面から突出片８３３と係止爪８３４の下端までの間隔はトップ基板８２の板体の厚みと略同一である。基板固定具８３の下にはコンデンサ８２１に接しないように固定枠８３１を補強する梁８３５が２本設けられている。なお突出片８３３を係止爪８３４としても良い。
【００６２】
トップ基板８２は上方から基板固定具８３に挿入し、右側の長辺を基板支持部８３２と突出片８３３の間に嵌めた後、トップ基板８２を係止爪８３４の下に位置するように嵌め込むことで固定される。
【００６３】
図８を合わせて参照して基板固定具８３は、トップ基板８２の一方の短辺（背面側）に位置する固定枠８３１の外側に背面側に突出した係合爪８３６、８３６が二つ設けられている。また、図１３に示すように基板固定具８３は、トップ基板８２の他方の短辺（前面側）に位置する固定枠８３１の外側に突出した取付片８３８、８３８が二つ設けられている。取付片８３８には、支持枠８１と組み立てた時に支持枠８１の補強部８１８の上に載る爪部８３８ａを有する。さらに取付片８３８、８３８の間に、支持枠８１と組み立てた時に支持枠８１の下に位置するネジ用片８３７を備える。
【００６４】
基板固定組８４となった基板固定具８３は、下方から支持枠８１に位置を合わせ背面側に二つある係合爪８３６を支持枠８１の係合孔８１１ｂに嵌め込む。係合爪８３６と係合孔８１１ｂは若干の遊びがあり、基板固定具８３を後方に少し押して前方の取付片８３８側を上方に押すと、取付片８３８の爪部８３８ａが支持枠８１の補強部８１８の上に載る。これで仮固定される。この時係合爪８３６と取付片８３８の爪部８３８ａで支持枠８１に支持されているため、落下するおそれは無い。最後にネジ用片８３７と支持枠８１のネジ孔を位置合わせして下方からネジ止めすることで基板固定組８４が支持枠８１に固定される。
【００６５】
メンテナンスのために基板固定組８４を外す時は、逆にネジをはずして基板固定具８３を後方に少し押して前方の取付片８３８側を下方に引き、取付片８３８の爪部８３８ａを支持枠８１の補強部８１８から取り外し、最後に係合爪８３６を係合孔８１１ｂから引き抜くことで容易に外すことができる。
【００６６】
組み立てられた第３電装品ユニット８は図４に示すように絶縁シート８５で覆われる。また基板固定組８４は支持枠８１の右側に取り付けられることで、電装部仕切板５２との間に隙間８６が設けられている。この隙間８６には、前述した第１電装品ユニット６のダクト６５１が配置されている。これにより、基板固定組８４とダクト６５１が並んで配置されたことで電装品ユニット５の高さをさらに低くすることができ、引いては筐体１１の高さを低くすることができる。
【００６７】
以上のように電装部仕切板５３の橋架されるコ字状の支持枠８１を備え、支持枠８１にトップ基板８２と同トップ基板８２を支える基板固定具８３が一体となった基板固定組８４を取り付けることにより、電装部品（コンデンサ８２１）を筐体１１の上部にも設けることが可能となる。また筐体１１の上部に基板固定組８４を設けることで、筐体１１の高さを低くすることも可能となる。また基板固定組８４は支持枠８１の右側に取り付けられることで電装部仕切板５２との間に隙間８６が設けられる。この隙間８６には第１電装品ユニット６のダクト６５１が配置される。これにより基板固定組８４とダクト６５１が並んで配置されたことで電装品ユニット５の高さをさらに低くすることができ、引いては筐体１１の高さを低くすることができる。さらに、基板固定組８４は着脱可能であることから、トップ基板８２を下方から取り外すことが可能となり、メンテナンスの作業性が向上するものである。
【符号の説明】
【００６８】
１：室外機、１１：筺体、１２：配管カバー、１３：サービスパネル、１４：背面パネル、１４１：外気取込口、１５：底板、１６：天板、１８：熱交換器
２０：モータ、２１：送風ファン、２４：下部仕切板、２５：受け部、３５１：レール受け部、２５１ａ：ストッパー用延出部、２６：上部仕切板、２６４：差込爪
３０：前面パネル
４：冷媒回路部品、４０：アキュムレータ、４３：冷媒配管、４５：配管収容部、４６：第１ケーブル、４７：第２ケーブル
５：電装品ユニット、５２：電装部仕切板、５３：取付面、５４：固定面、５４１：角部、５５：支柱、５５１：ヒンジ用スリット、５６：角部固定板、５７：ストッパー、５８：レール面、５８１：レールガイド部、５９：空気取込口、５９１：通気孔
６：第１電装品ユニット、６１：取付台、６１１：インバータ基板、６２：ファンモタドライブ基板、６２１：第１コネクタ、６２２：第２コネクタ、６３１：ヒートシンク、６４：遮水蓋、６５１：ダクト、６５２：導風カバー
７：第２電装品ユニット、７１：基板固定板、７３：開口部、７４：コネクタ中継部、７４１：中継コネクタ
８：第３電装品ユニット、８１：支持枠、８２：トップ基板、８３：基板固定具、８４：基板固定組、８５：絶縁シート、８６：隙間
ＭＲ：機械室、ＦＲ：送風機室
【図１】
2018189264.tif 000003
【図２】
2018189264.tif 000004
【図３】
2018189264.tif 000005
【図４】
2018189264.tif 000006
【図５】
2018189264.tif 000007
【図６】
2018189264.tif 000008
【図７】
2018189264.tif 000009
【図８】
2018189264.tif 000010
【図９】
2018189264.tif 000011
【図１０】
2018189264.tif 000012
【図１１】
2018189264.tif 000013
【図１２】
2018189264.tif 000014
【図１３】
2018189264.tif 000015
【図１４】
2018189264.tif 000016